(57)【特許請求の範囲】
【請求項１】
光ファイバーバンドルを含む照明光学系において、
上記光ファイバーバンドルからの射出光路中に配置された光学部材を含み、
該光学部材は、過剰な色成分を制限して各色成分の強度分布が一致するように、中央から放射方向の透過位置に応じて分光透過率が異なり、中央付近における青色領域光の透過率が周辺部の青色領域光の透過率よりも高くなる特性、または周辺付近における赤色領域光の透過率が、中心付近における赤色領域光の透過率よりも高くなる特性を有すること、を特徴とする光ファイバーを有する照明装置。
【請求項２】
光ファイバーバンドルを含む照明光学系において、
上記光ファイバーバンドルからの射出光路中に配置された、中央から放射方向の透過位置に応じて分光透過率が異なる光学部材を含み、
該光学部材は、過剰な色成分を制限して各色成分の強度分布が一致するように、中央付近における青色領域光の透過率が周辺部の青色領域光の透過率よりも高くなる特性からなる色補正フィルタと、周辺付近における赤色領域光の透過率が、中心付近における赤色領域光の透過率よりも高くなる特性を有する色補正フィルタを含むこと、を特徴とする光ファイバーを有する照明装置。
【請求項３】
請求項１または２記載の光ファイバーを有する照明装置において、上記光学部材は円板状に形成されていること、を特徴とする光ファイバーを有する照明装置。
【請求項４】
請求項１から３のいずれか一項記載の光ファイバーを有する照明装置において、上記光学部材は、中心から同一距離における分光透過率が等しく形成されていること、を特徴とする光ファイバーを有する照明装置。
【請求項５】
請求項１から４のいずれか一項記載の光ファイバーを有する照明装置において、上記光学部材は、分光透過率が中心から径方向に所定の幅で段階的に形成されていること、を特徴とする光ファイバーを有する照明装置。
【請求項６】
請求項１から４のいずれか一項記載の光ファイバーを有する照明装置において、上記光学部材は、分光透過率が中心から径方向に連続的に変化していること、を特徴とする光ファイバーを有する照明装置。
【請求項７】
光ファイバーバンドルを含む照明光学系において、
上記光ファイバーバンドルの入射光路途中に配置された光学部材を含み、
該光学部材は、過剰な色成分を制限して各色成分の強度分布が一致するように、上記光ファイバーバンドルに入射する光束の周辺部の少なくとも一部について、該周辺部における赤色領域光の透過率が光束の中央部における赤色領域光の透過率より高くなるような特性を有すること、を特徴とする光ファイバーを有する照明装置。
【請求項８】
請求項７記載の光ファイバーを有する照明装置において、上記光学部材は円板状に形成されていること、を特徴とする光ファイバーを有する照明装置。
【請求項９】
請求項７記載の光ファイバーを有する照明装置において、上記光学部材は扇状に形成されていること、を特徴とする光ファイバーを有する照明装置。
【請求項１０】
請求項７記載の光ファイバーを有する照明装置において、上記光学部材は多角形状に形成されていること、を特徴とする光ファイバーを有する照明装置。
【請求項１１】
請求項１０記載の光ファイバーを有する照明装置において、上記分光透過率の異なる領域が矩形であること、を特徴とする光ファイバーを有する照明装置。
【請求項１２】
請求項７から１１のいずれか一項記載の光ファイバーを有する照明装置において、上記光学部材は１枚であること、を特徴とする光ファイバーを有する照明装置。
【請求項１３】
請求項７から１１のいずれか一項記載の光ファイバーを有する照明装置において、上記光学部材は２枚以上であること、を特徴とする光ファイバーを有する照明装置。
【請求項１４】
請求項７から１３のいずれか一項記載の光ファイバーを有する照明装置はさらに、上記光学部材を光軸と直交する方向に移動自在に支持する光学部材駆動部材を備えていること、を特徴とする光ファイバーを有する照明装置。
【請求項１５】
請求項１４記載の光ファイバーを有する照明装置はさらに絞り装置を有し、上記光学部材の移動量を、上記絞り装置の絞り込み量と連動させたこと、を特徴とする光ファイバーを有する照明装置。
【請求項１６】
請求項１５記載の光ファイバーを有する照明装置はさらに、上記絞り量と上記光ファイバーバンドルの特性に基づいて上記移動量を算出する演算手段を備えていること、を特徴とする光ファイバーを有する照明装置。
【請求項１７】
請求項１４記載の光ファイバーを有する照明装置において、上記光学部材および光学部材の移動量は、上記光ファイバーバンドルに応じて可変に形成されていること、を特徴とする光ファイバーを有する照明装置。
【請求項１８】
請求項１４記載の光ファイバーを有する照明装置において、上記各光学部材は、上記光ファイバーバンドルに応じて交換可能に形成されていること、を特徴とする光ファイバーを有する照明装置。
【請求項１９】
光ファイバーバンドルを含む照明光学系において、
上記光ファイバーバンドルの入射光路途中に配置された光学部材と、
上記光ファイバーバンドルからの射出光路中に配置された光学部材とを含み、
過剰な色成分を制限して各色成分の強度分布が一致するように、上記射出光路途中に配置された光学部材は、中央から放射方向の透過位置に応じて分光透過率が異なり、中央付近における青色領域光の透過率が周辺部の青色領域光の透過率よりも高くなる特性、または周辺付近における赤色領域光の透過率が、中心付近における赤色領域光の透過率よりも高くなる特性を有し、
上記入射光路中に配置された光学部材は、上記光ファイバーバンドルに入射する光束の周辺部の少なくとも一部について、該周辺部における赤色領域光の透過率が光束の中央部における赤色領域光の透過率より高くなるような特性を有すること、を特徴とする光ファイバーを有する照明装置。
【発明の詳細な説明】
【０００１】
【産業上の利用分野】
本発明は、光路中にファイバーバンドルを含む照明光学系に係り、より詳細には、照明光の色補正装置を備えた照明光学系に関する。
【０００２】
【従来技術およびその問題点】
内視鏡などの照明光学系は、図３６に示したように、照明光源４１からの照明光（平行白色光）Ｌは、集光レンズ２１により集束されて、光ファイバーバンドル（ライトキャリングバンドル（ＬＣＢ））１１の入射端面１３に入射し、各ファイバー内を導かれ、射出端面１５から射出される。射出した照明光Ｌは、配光レンズ２３により必要な照明角度で配光され、対象物を照明する。ここで、ＬＣＢ１１の入射端面１３に入射する光の入射角度は保存されて、射出端面１５での射出角になる。なお、光源４１は、白色光源（ハロゲンランプ）４２と、パラボラ反射傘４３とを有し、白色平行光を射出する。
【０００３】
図３７には、その様子を模式的に示してある。ＬＣＢ１１を構成する１本のファイバー１１１に対して、ある角度で入射した照明光Ｌは、射出時にはコーン状に射出される。その射出角は入射角と等しい。射出された照明光Ｌの強度分布が、照明光の波長によって変化する現象がある。図３８に示すように、入射端面１３への入射角が０゜から４０゜に変化するにつれて、波長が６００ｎｍ  以上の光（赤色）の透過率が低下する。また、この図３８から、波長が４５０ｎｍ  以下の短波長光（青色）の透過率が、他の波長に比較して相対的に低いことも分かる。
【０００４】
ＬＣＢ１１の射出端面１５から射出された光が配光レンズ２３により広げられて照明される様子を、図３９、４０に示している。図３９は青色光、図４０は赤色光の場合である。また、図３９、４０において、（ａ）、（ｂ）は、所定距離の照射面上における照明光Ｌの強度分布である。（ａ）は中央、中間および周辺の一部のファイバーによる照明強度分布を、（ｂ）はすべてのファイバーバンドルによる照明強度分布である。青色光および赤色光の配光角は、いずれも入射角を決定する集光レンズ２１および配光角を決定する配光レンズ２３とで定まる。なお、集光レンズ２１に入射する光束は、外周ほど入射端面１３への入射角が大きくなる。
【０００５】
しかしながら、図３８に示したように、入射角による透過率の差が強度分布の形状の差として表われる。赤色光の方が周辺での強度の減衰は激しいが、ピークは赤色光の方が大きい。このため、相対的に、中心部付近では青色光成分が少なくなり、周辺では赤色光成分が少なくなり、色ムラを生じる。
【０００６】
【発明の目的】
以上の従来のファイバーバンドルを備えた照明装置の問題に鑑みてなされたもので、色ムラを生じないファイバーバンドル照明装置を提供することを目的とする。
【０００７】
【発明の概要】
この目的を達成する本発明は、光ファイバーバンドルを含む照明光学系において、上記光ファイバーバンドルからの射出光路中に配置された光学部材を含み、該光学部材は、過剰な色成分を制限して各色成分の強度分布が一致するように、中央から放射方向の透過位置に応じて分光透過率が異なり、中央付近における青色領域光の透過率が周辺部の青色領域光の透過率よりも高くなる特性、または周辺付近における赤色領域光の透過率が、中心付近における赤色領域光の透過率よりも高くなる特性を有することに特徴を有する。上記光学部材は、過剰な色成分を制限して各色成分の強度分布が一致するように、中央付近における青色領域光の透過率が周辺部の青色領域光の透過率よりも高くなる特性からなる色補正フィルタと、周辺付近における赤色領域光の透過率が、中心付近における赤色領域光の透過率よりも高くなる特性を有する色補正フィルタにより構成してもよい。
請求項７記載発明は、光ファイバーバンドルを含む照明光学系において、上記光ファイバーバンドルの入射光路途中に配置された光学部材を含み、該光学部材は、過剰な色成分を制限して各色成分の強度分布が一致するように、上記光ファイバーバンドルに入射する光束の周辺部の少なくとも一部について、該周辺部における赤色領域光の透過率が光束の中央部における赤色領域光の透過率より高くなるような特性を有すること、に特徴を有する。好ましくは、上記光学部材を、光軸と直交する方向に移動自在に光学部材駆動部材により支持する。
請求項１９記載発明は、光ファイバーバンドルを含む照明光学系において、上記光ファイバーバンドルの入射光路途中に配置された光学部材と、上記光ファイバーバンドルからの射出光路中に配置された光学部材とを含み、過剰な色成分を制限して各色成分の強度分布が一致するように、上記射出光路途中に配置された光学部材は、中央から放射方向の透過位置に応じて分光透過率が異なり、中央付近における青色領域光の透過率が周辺部の青色領域光の透過率よりも高くなる特性、または周辺付近における赤色領域光の透過率が、中心付近における赤色領域光の透過率よりも高くなる特性を有し、上記入射光路中に配置された光学部材は、上記光ファイバーバンドルに入射する光束の周辺部の少なくとも一部について、該周辺部における赤色領域光の透過率が光束の中央部における赤色領域光の透過率より高くなるような特性を有することに特徴を有する。
【０００８】
【実施例】
以下図示実施例に基づいて本発明を説明する。図１は、本発明を適用するファイバー照明光学装置の射出端部の側面図である。本実施例は、この照明光学装置の照明光光路途中に位置によって分光透過率が異なる光学部材を挿入することに特徴を有する。
【０００９】
光源（図示せず）からの白色平行光をＲ（赤色）、Ｇ（緑色）、Ｂ（青色）の三原色に分離して分析する。１本のファイバーから射出された照明光の広がりと強度は、ＲＧＢそれぞれで異なっている。これらが合成されると、強度分布は分布図（ｂ）に示すようになる。この分布図（ｂ）において、斜線で示す領域は青色が不足しており（補色である黄（Ｙｅ）が過剰）、網点で示される領域は赤色が不足しており（補色であるシアン（Ｃｙ）が過剰）、縦線で示される領域は、緑色が過剰（補色であるマゼンタ（Ｍｇ）が不足）である。つまり、光軸Ｏから半径ｈ１  の領域はＢが不足し、半径ｈ１  から外方に向かってＲ成分が急激に減少し、その外側の幅ｈ２  の領域よりもさらに外方において、Ｇ、Ｂが減少していることが分かる。
【００１０】
そこで、本実施例では、色補正手段として、図２の（ａ）に示す色補正領域を備えた色補正フィルタ３１を用いることで、過剰な色成分を制限して、各色成分の強度分布を一致させて照明光の色ムラを減少させている。色補正フィルタ３１は、３つの異なる分光透過率を有する色補正領域を回転対称に形成した実施例である。つまり、光源光Ｌが透過する透過領域に応じて分光透光率を変化させてある。色補正フィルタ３１は、中心から半径ｒ1 の円領域はＲ、Ｇを吸収する青フィルタ領域３２Ｂ、その外側の幅ｒ2 はＲ、Ｇ、Ｂすべての波長光を吸収するフィルタ領域３２Ｎ、さらにその外側の幅ｒ3 の環状領域は、Ｇ、Ｂを吸収（ただし、Ｂの方が透過率が高い）するＲフィルタ領域３２Ｒである。この色補正フィルタ３１は、図２の（ｂ）、（ｃ）に示す２枚の色補正フィルタ３１１および色補正フィルタ３１２の貼り合わせにより構成されている。
【００１１】
色補正フィルタ３１１は、中心から所定半径ｒ１１の円領域はＲ、Ｇを吸収する青フィルタ領域３２１Ｂ、その外側の幅ｒ１２の環状領域は、Ｇ、Ｂを吸収する赤フィルタ領域３２１Ｒである。色補正フィルタ３１２は、中心から所定半径ｒ１２内は透過領域３２２であり、その外側の幅ｒ２２の環状領域は、緑色を吸収するマゼンタフィルタ領域３２２Ｍｇである。なお、色補正フィルタ３１は、色補正フィルタ３１１、色補正フィルタ３１２の重ね合わせでなくてもよく、１枚の平行平板により形成しても、また、３枚あるいはそれ以上のフィルタを重ね合わせて形成してもよい。また、色補正領域は、コーティング、染色などにより形成される。
【００１２】
この色補正フィルタ３１を照明光学装置の光路途中に挿入して色補正した照明光の強度分布は、図１の分布図（ｃ）に示すように、全照射領域において各色成分が等しくなる。
【００１３】
図３から図５には、フィルタの配置（挿入）態様を示してある。色補正フィルタ３１は、配光レンズ２３の前方に配置してもよく、配光レンズ２３の後方に配置してもよく、配光レンズ２３に密着させて配置してもよい。また、配光レンズ２３の一面を色補正フィルタと同様の分光特性を有するように形成してもよい。どの位置に挿入する場合も、フィルタの外径、フィルタ領域は、配光特性に基づいて設定する。図示実施例の場合、フィルタの径は、配光レンズ２３の前方に配置した場合が最も大きくなり、配光レンズ２３とＬＣＢ１１との間に配置した場合が最も小さくなる。
【００１４】
図６および図７には、電子内視鏡のように、ＣＣＤカメラや、プロセッサなどにより、撮像した画像信号の各色成分のゲインを電気的に調整できる装置に適用する実施例を示してある。各色成分のゲイン調整が可能であれば、例えばＢ色信号のゲインを、Ｂ色信号のレベルがＲＧ色信号のレベルと同等になるまで引き上げれば図６の（ｂ）に示したように、中心から半径ｈ１  の領域においては、各色成分のレベルが等しくなる。ただし、半径ｈ１  よりも外側の周辺領域は、ＧＢ成分の各レベルが高くなる。
【００１５】
そこで、この周辺領域のＧＢ成分を吸収すべく、色補正フィルタ３１３を射出光路中に配置する。この色補正フィルタ３１３は、中心から半径ｒ３１までは全波長に対する分光透過率が一様に高いが、その周辺に幅ｒ３２でＧＢ成分を吸収するＣフィルタ領域３２３Ｃを形成してある。色補正フィルタ３１３をＬＣＢ１１の射出光路途中に配置すると、図６の（ｃ）に示すように、照射領域全域に亙って各ＲＧＢ成分の強度が等しい強度分布が得られる。
【００１６】
以上の各フィルタの半径および各フィルタ領域の半径は、透過する照明光束の半径に対応して定められる。つまり、射出端面１５の最周辺部から射出される主光線が被照明部に到達する部分に基づいて定められる。
【００１７】
図８から図１１には、ＬＣＢ１１の入射側に色補正手段を配置する実施例を示してある。光源４１から射出された平行光束は、明るさ絞り４５を通り、集光レンズ２１により集光され、ＬＣＢ１１の入射端面１３に入射する。そして、ＬＣＢ１１により導かれて射出端面１５から射出し、配光レンズ２３で配光されて被照明対象を照明する。明るさ絞り４５は、公知の通り、断面コ字形の樋状であって、各側板部（遮光部）４５ａ、底板部４５ｂ、側板部（遮光部）４５ｃが光軸と平行になる向きを基準に光源４１と集光レンズ２１の間の光路中に配置されている。明るさ絞り４５は、底板部４５ｂの中央部に軸４６が植設されていて、この軸４６が図示しない駆動装置により駆動可能に軸支され、この軸４６を中心に回動される。
【００１８】
図９および図１０は、明るさ絞り４５の絞り作用を説明する図である。各図において、左側に明るさ絞り４５を、その右側に、集光レンズ２１に入射する光束の明るさの様子を示してある。図８では、側板部４５ａ、４５ｃが光軸Ｏ、つまり光束の進行方向と平行であるが、明るさ絞り４５が軸４６を中心として僅かに回転すると、側板部４５ａ、側板部４５ｃが光束の一部を横切り、遮光する。図９において、一対の平行な黒い部分は遮光部分（暗部）を示している。明るさ絞り４５がさらに回転すると、図１０に示す通り、側板部４５ａ、側板部４５ｃが光束を横切る幅が広くなり、遮光部分の幅が広くなり、つまり、光軸を中心に平行な帯状部分が遮光され、透過光量が減少する。
【００１９】
入射端面１３にある角度で入射した光は、射出端面１５から射出して入射角と同一の射出角で円錐状に広がる（図３７参照）。そこで本実施例では、射出角に基づいて相対的に増加する青色光を入射側で制限することで、色補正を行なう。
【００２０】
図１２には、入射角が大きくなる光束の周辺部にフィルタをかける実施例を示している。この色補正フィルタ３１４は、外周部に円環状の色補正領域３２４Ｒを備えている。この色補正フィルタ３１４、つまり色補正領域３２４Ｒは、赤色光を透過し、青色光を反射または吸収する特性に形成してある。
【００２１】
明るさ絞り４５と集光レンズ２１との間に色補正フィルタ３１４を挿入したときに、図１３に示すように、光束の周辺部が色補正領域３２４Ｒに対応する。色補正フィルタ３１４は、比較的大きな入射角で入射する一定領域の周辺光を補正するが、これより中心側の光は補正しない。そこで、より小さな入射角で入射する光を補正できるように、中心付近まで色補正領域を設けてもよい。その一実施例である色補正フィルタ３１６を、図１４に示した。この色補正フィルタ３１６は、分光透過率を制限する色補正領域３２６を、入射角度に応じて環状に形成してある。図１５には、この色補正フィルタ３１６を光束中に挿入したときの様子を示してある。
【００２２】
また、図示実施例の色補正フィルタでは一様な特性からなる色補正領域により色補正領域を区分けしてあるが、区分けせずにグラデーションを設けて特性が半径方向に徐々に変化する構成にしてもよい。色補正領域を区分けした場合には製造が容易になり、色補正領域を滑らかに変化させると、所定範囲の入射角の光について連続的に補正することができる。
【００２３】
以上の実施例では、ある入射角度成分の透過率をすべて補正しようとするものであったが、ある角度成分の一部のみを補正しても、実用上十分な効果が期待できる。ある入射角成分の一部にフィルタをかけるフィルタの実施例を図１６〜図１９に示した。これらのフィルタ６１１、６１２は、扇形をしていることに特徴を有する。扇形フィルタ６１１、６１２は、環状または円板状のフィルタを半径方向に切断して形成できる。扇形フィルタ６１１、６１２の中心角は任意であるが、等分割できる角度に設定すれば無駄が無くなり、製造も容易である。
図１８および図１９は、この扇形フィルタ６１１、６１２を入射光路途中に挿入した様子を示している。この挿入態様では、明るさ絞り４５による一対の遮光帯が均等に扇形フィルタ６１１、６１２にかかるように設定してある。
【００２４】
以上は円環、あるいは扇形からなる回転対称形のフィルタであったが、本発明のフィルタ（色補正領域）は回転対称形でなくてもよい。非回転対称形のフィルタの実施例を、図２０および図２１に示した。これらのフィルタ７１１、７１２は、外形および色補正領域を長方形に形成してある。
【００２５】
図２２および図２３は、矩形の色補正フィルタ７１１を光束中に配置した様子を、異なる絞り状態で示している。なお、色補正フィルタ７１１は、一面均一の分光透過率である。ここで、明るさ絞り４５が変化すると、色補正フィルタ７１１の挿入状態は同じであるが、色補正フィルタ７１１を透過する光束の角度成分の割合が変化するため、絞りを開いた状態と絞りを絞り込んだ状態とでは色補正効果が異なってしまう。
【００２６】
そこで、図２５、図２６に示すように、絞り状態に応じてフィルタの挿入状態を変化させる。明るさ絞り４５の角度（遮光量）に応じてフィルタの挿入量を設定する手段と、フィルタを移動させる駆動手段を設ける。その照明光学系の実施例の平面図を、図２４に示してある。既に述べた照明光学装置１０と同一の機能を有する部材には同一の符号を付して説明を省略する。
【００２７】
この照明光学装置１０１では、色補正フィルタ７１を、明るさ絞り４５と集光レンズ２１との間に、光軸Ｏと直交する向きに配置し、かつ平行に移動可能に挿入してある。色補正フィルタ７１は、ギア機構５１を介してフィルタ駆動モータ５３により、光軸Ｏと直交方向に移動調整される。フィルタ駆動モータ５３は、制御手段５５により駆動制御される。制御手段５５は、図示しない、フィルタの移動量を検知するセンサの信号により、フィルタ駆動モータ５３を回転させ、ギヤ機構５１を介してフィルタを上下動させる。
【００２８】
矩形の色補正フィルタ７１１を駆動するギヤ機構５１としては、例えば色補正フィルタ７１１の一方の側面にラック７３１を形成し、このラック７３１にピニオンを噛み合わせたものがある（図２５、２６参照）。なお、色補正フィルタ７１１の他方の側面はガイド溝などにスライド自在に嵌合する。
【００２９】
扇型色補正フィルタ６１１を駆動するギヤ機構５１としては、例えば外周端面にラック６３１を突設して、このラック６３１にピニオンを噛み合わせたものがある（図２７、図２８参照）。なお、このラック６３１は、図示しないガイド溝などにスライド自在に嵌合する。
【００３０】
ギヤ機構５１に代えて、カム機構、摩擦伝達機構あるいは電磁プランジャ、ピエゾ素子などを使用した電磁駆動機構を利用することができる。また、絞り駆動モータ４７は、光量を検出してその検出信号に基づいて絞り駆動装置により駆動されるが、絞り駆動装置を駆動する信号を利用して絞りの回転角を検出する構成でもよい。
【００３１】
矩形、扇型色補正フィルタは、以上の実施例のように一枚だけ光路途中に挿入してもよいが、図２９、図３０に示すように２枚、あるいはそれ以上を同時に、あるいは選択的に挿入してもよい。２枚以上挿入する場合は、各フィルタの特性は同一でなくてもよく、挿入する位置、角度も適時設定できる。
【００３２】
色補正フィルタＦ（３１、６１、７１）の挿入位置は、図２４に示した位置に限定されず、図３１、図３２に示したように、光源４１と明るさ絞り４５の間、集光レンズ２１とＬＣＢ１１との間、あるいは明るさ絞り４５と集光レンズ２１との間でもよい。光源の大きさ、空間に応じて選択できる。
【００３３】
また、本発明は、図３３に示したように、絞り装置を有しない光学系にも使用できることはいうまでもない。この場合には、図３３に示したように、フィルタを集光レンズ２１と光源４１との間の入射側光路に挿入することができる。以上のフィルタの挿入位置は一例であって、本発明はこれらに限定されない。
【００３４】
以上の実施例では、色補正フィルタをＬＣＢ１１の入射側または射出側の一方に挿入したが、本発明は両方に挿入してもよい。その実施例を、図３４および図３５に示した。これの実施例では、入射光路用の色補正フィルタを明るさ絞り４５と集光レンズ２１との間に、射出光路用の色補正フィルタを配光レンズ２３の後面（照射対象側面）に配置してある。
【００３５】
ファイバー照明系の場合、光源、絞り、集光レンズを一つの光源ユニット（光源部）として、ファイバーバンドルと配光レンズと一つのバンドルユニット（バンドル部）として構成し、ユニット単位で交換可能なものが多い。そのため、ファイバーバンドルに応じて決まる補正量をバンドルごとに校正（補正）する必要がある。
【００３６】
そこで、図２４に示すように、バンドル部に校正データを記録する記録手段１７を設け、この記録手段１７に記録されている校正データを制御手段５５が読み込んで使用する構成にしてもよい。あるいは、バンドル部を交換する際に、入射側のフィルタを交換する構成にしてもよい。また、同一の光源ユニットに対して複数のバンドルユニットを使用する場合には、各バンドルユニット毎にフィルタを設けてもよい。
【００３７】
【発明の効果】
以上の説明から明らかな通り本発明は、ファイバーバンドルを用いた照明光学系において、色ムラのない照明が可能になり、特に忠実な色の再現が必要な、例えば内視鏡などに有益である。
【図面の簡単な説明】
【図１】本発明を適用する照明光学系の照射部の一実施例の概要、本発明による色補正をしていないときの色別の強度特性および配光特性、および本発明による色補正をした配光特性の一例を説明する図である。
【図２】本発明の色補正フィルタの一実施例を示す図である。
【図３】同色補正フィルタの射出光路における配置例を示す図である。
【図４】同色補正フィルタの射出光路における配置例を示す図である。
【図５】同色補正フィルタの射出光路における配置例を示す図である。
【図６】本発明を適用する照明光学系の照射部の概要、本発明による色補正をしていないときの色別の強度特性および配光特性、および本発明により青色成分の補正をした配光特性の一例を説明する図である。
【図７】本発明の色補正フィルタの他の実施例を示す図である。
【図８】本発明を適用する、明るさ絞りを備えた照明装置の一例の構成を示す側面図である。
【図９】同明るさ絞りの作用を説明する図である。
【図１０】同明るさ絞りの作用を説明する図である。
【図１１】同明るさ絞りの斜視図である。
【図１２】同明るさ絞りを備えた照明装置において、入射角の大きい光を制限する色補正フィルタの一実施例を示す図である。
【図１３】色補正フィルタと明るさ絞りによる絞り作用との関係を説明する図である。
【図１４】全入射角に亙って色補正する色補正フィルタの一実施例を説明する図である。
【図１５】同色フィルタと明るさ絞りの絞り作用との関係を説明する図である。
【図１６】色補正領域が非回転対称である色補正フィルタの第１の実施例を示す図である。
【図１７】色補正領域が非回転対称である色補正フィルタの第２の実施例を示す図である。
【図１８】色補正領域が非回転対称である色補正フィルタの第１の実施例と明るさ絞りの絞り作用との関係を説明する図である。
【図１９】色補正領域が非回転対称である色補正フィルタの第２の実施例と明るさ絞りの絞り作用との関係を説明する図である。
【図２０】色補正領域が非回転対称である色補正フィルタの第３の実施例を示す図である。
【図２１】色補正領域が非回転対称である色補正フィルタの第４の実施例を示す図である。
【図２２】色補正領域が非回転対称である第３の実施例と明るさ絞りの絞り作用との関係を説明する図である。
【図２３】色補正領域が非回転対称である第４の実施例と明るさ絞りの絞り作用との関係を説明する図である。
【図２４】色補正フィルタの挿入位置調整装置を備えた照明装置の一実施例を示す平面図である。
【図２５】同照明装置において、色補正フィルタの移動手段と絞りとの関係を説明する図である。
【図２６】同照明装置において、色補正フィルタの移動手段と絞りとの関係を説明する図である。
【図２７】同照明装置において、色補正フィルタの移動手段と絞りとの関係を説明する図である。
【図２８】同照明装置において、色補正フィルタの移動手段と絞りとの関係を説明する図である。
【図２９】同照明装置において、２枚の色補正フィルタと明るさ絞りの絞り込み態様とを説明する図である。
【図３０】同照明装置において、２枚の色補正フィルタと明るさ絞りの絞り込み態様とを説明する図である。
【図３１】同照明装置における本色補正フィルタの配置態様を説明する図である。
【図３２】同照明装置における本色補正フィルタの配置態様を説明する図である。
【図３３】同照明装置における本色補正フィルタの配置態様を説明する図である。
【図３４】同照明装置における本色補正フィルタの配置態様を説明する図である。
【図３５】同照明装置における本色補正フィルタの配置態様を説明する図である。
【図３６】ファイバーバンドルを備えた照明装置の構成を説明する側面図である。
【図３７】ファイバーバンドルへの入射光と射出光の関係を説明する図である。
【図３８】ファイバーバンドルの入射面への入射角とバンドル透過率との関係を説明する図である。
【図３９】ファイバーバンドルから射出される赤色光の配光特性を説明する図である。
【図４０】ファイバーバンドルから射出される青色光の配光特性を説明する図である。
【図１】
0003609854.tif 000002
【図２】
0003609854.tif 000003
【図３】
0003609854.tif 000004
【図４】
0003609854.tif 000005
【図５】
0003609854.tif 000006
【図６】
0003609854.tif 000007
【図７】
0003609854.tif 000008
【図８】
0003609854.tif 000009
【図９】
0003609854.tif 000010
【図１０】
0003609854.tif 000011
【図１１】
0003609854.tif 000012
【図１２】
0003609854.tif 000013
【図１３】
0003609854.tif 000014
【図１４】
0003609854.tif 000015
【図１５】
0003609854.tif 000016
【図１６】
0003609854.tif 000017
【図１７】
0003609854.tif 000018
【図１８】
0003609854.tif 000019
【図１９】
0003609854.tif 000020
【図２０】
0003609854.tif 000021
【図２１】
0003609854.tif 000022
【図２２】
0003609854.tif 000023
【図２３】
0003609854.tif 000024
【図２４】
0003609854.tif 000025
【図２５】
0003609854.tif 000026
【図２６】
0003609854.tif 000027
【図２７】
0003609854.tif 000028
【図２８】
0003609854.tif 000029
【図２９】
0003609854.tif 000030
【図３０】
0003609854.tif 000031
【図３１】
0003609854.tif 000032
【図３２】
0003609854.tif 000033
【図３３】
0003609854.tif 000034
【図３４】
0003609854.tif 000035
【図３５】
0003609854.tif 000036
【図３６】
0003609854.tif 000037
【図３７】
0003609854.tif 000038
【図３８】
0003609854.tif 000039
【図３９】
0003609854.tif 000040
【図４０】
0003609854.tif 000041